(57)【特許請求の範囲】
【請求項１】
躯体開口部に取り付けられるシャッターケースの左右ブラケットに支持される巻取りドラムと、該巻取りドラムに巻装されるシャッターカーテンと、該シャッターカーテンの開閉ガイドをするガイドレールとを備えて構成される建築用シャッター装置を、隣接するブラケット同士が左右に間隙を存して配設される連窓用シャッターケースにおいて、
前記間隙に、シャッターケースに対して下側から吹上げる風が作用した場合にシャッターケースが持ち上がるのを防止するための吹上防止体を設けるにあたり、
該吹上防止体は、
室内側端部がブラケットの後面板を係止するため躯体に固定される係止金具側に固定され、
室外側端部に、ブラケットの下端縁からシャッターケースの左右方向サイドカバー側に向けて折曲した支持片に下側から当接する当接部が形成されたものであり、
該当接部に、シャッターケースの底板面部が下側から当接され、
該底板面部に、隣接ブラケット同士の間隙を覆蓋する化粧縁の底面部が下側から当接されることで、
ブラケットの支持片、吹上防止体の当接部、シャッターケースの底板面部、化粧縁の底面部が積層されることになった積層部位を下から固定手段で固定したことを特徴とする連窓用シャッターケースにおける吹上防止構造。
【請求項２】
吹上防止体は、平面視で冂字形をした板状のものであって、跨部がブラケットの後面板を係止するため躯体に固定される係止金具側に固定され、脚部がブラケット外側面に当接し、該脚部の下端縁に、ブラケットの下端縁からシャッターケースの左右方向サイドカバー側に向けて折曲した支持片に下側から当接する当接部である折曲部が形成されたものであることを特徴とする請求項１記載の連窓用シャッターケースにおける吹上防止構造。
【請求項３】
化粧縁の底面部を、端縁部が折返し折曲された折曲片を備える二枚板状にすることで、前記積層部位を五枚板構造にしたことを特徴とする請求項１または２記載の連窓用シャッターケースにおける吹上防止構造。
【請求項４】
シャッターカーテンが開閉ガイドされるガイドレールのうち左右に隣接する連窓用のガイドレールはあいだに筒状の連結部が一体に設けられた一体物であり、該連結部には補強材が嵌入組込みされ、該補強材には係止金具側に固定された取付け金具がさらに嵌入組込みされることで連結部、補強材、取付け金具が積層され、該積層部位を後側から螺入するビスを介して固定することで吹上防止体がガイドレールと一体化されていることを特徴とする請求項１、２または３に記載の連窓用シャッターケースにおける吹上防止構造。
【発明の詳細な説明】
【技術分野】
【０００１】
本発明は、複数のシャッターケースを水平方向に連続して設ける際に用いられる連窓用シャッターケースにおける吹上防止構造の技術分野に関するものである。
【背景技術】
【０００２】
複数の窓が左右に連続して設けられた所謂連窓である場合、これら各窓にシャッターケースを設けることになるが、この場合に、台風や吹雪等の際に発生する強風がシャッターケースに対して下側から吹上げた場合に、シャッターケースが持ち上がらないよう対処する必要があり、そこで連窓用シャッターケースの場合、隣接するブラケット間の間隙に吹上防止体を設けることが提唱されている（例えば特許文献１参照）。
【先行技術文献】
【特許文献】
【０００３】
【特許文献１】実開昭６１−１４４１９６号公報
【発明の概要】
【発明が解決しようとする課題】
【０００４】
ところで前記従来の吹上防止体は、平面視でＬ字形をしたものを左右に設け、隣接するブラケットの側面にそれぞれビス固定する構造になっているため、間隙が狭いとドライバー等の工具を間隙に入れての固定作業ができないだけでなく、単に吹上防止体とブラケットとの固定であるためどうしても強度的に劣り、充分な強度確保をするためには吹上防止体を頑丈なものにする等の配慮が必要になるという問題があり、ここに本発明が解決せんとする課題がある。
【課題を解決するための手段】
【０００５】
本発明は、上記の如き実情に鑑みこれらの課題を解決することを目的として創作されたものであって、請求項１の発明は、躯体開口部に取り付けられるシャッターケースの左右ブラケットに支持される巻取りドラムと、該巻取りドラムに巻装されるシャッターカーテンと、該シャッターカーテンの開閉ガイドをするガイドレールとを備えて構成される建築用シャッター装置を、隣接するブラケット同士が左右に間隙を存して配設される連窓用シャッターケースにおいて、前記間隙に、シャッターケースに対して下側から吹上げる風が作用した場合にシャッターケースが持ち上がるのを防止するための吹上防止体を設けるにあたり、該吹上防止体は、室内側端部がブラケットの後面板を係止するため躯体に固定される係止金具側に固定され、室外側端部に、ブラケットの下端縁からシャッターケースの左右方向サイドカバー側に向けて折曲した支持片に下側から当接する当接部が形成されたものであり、該当接部に、シャッターケースの底板面部が下側から当接され、該底板面部に、隣接ブラケット同士の間隙を覆蓋する化粧縁の底面部が下側から当接されることで、ブラケットの支持片、吹上防止体の当接部、シャッターケースの底板面部、化粧縁の底面部が積層されることになった積層部位を下から固定手段で固定したことを特徴とする連窓用シャッターケースにおける吹上防止構造である。
請求項２の発明は、吹上防止体は、平面視で冂字形をした板状のものであって、跨部がブラケットの後面板を係止するため躯体に固定される係止金具側に固定され、脚部がブラケット外側面に当接し、該脚部の下端縁に、ブラケットの下端縁からシャッターケースの左右方向サイドカバー側に向けて折曲した支持片に下側から当接する当接部である折曲部が形成されたものであることを特徴とする請求項１記載の連窓用シャッターケースにおける吹上防止構造である。
請求項３の発明は、化粧縁の底面部を、端縁部が折返し折曲された折曲片を備える二枚板状にすることで、前記積層部位を五枚板構造にしたことを特徴とする請求項１または２記載の連窓用シャッターケースにおける吹上防止構造である。
請求項４の発明は、シャッターカーテンが開閉ガイドされるガイドレールのうち左右に隣接する連窓用のガイドレールはあいだに筒状の連結部が一体に設けられた一体物であり、該連結部には補強材が嵌入組込みされ、該補強材には係止金具側に固定された取付け金具がさらに嵌入組込みされることで連結部、補強材、取付け金具が積層され、該積層部位を後側から螺入するビスを介して固定することで吹上防止体がガイドレールと一体化されていることを特徴とする請求項１、２または３に記載の連窓用シャッターケースにおける吹上防止構造である。
【発明の効果】
【０００６】
請求項１の発明とすることにより、連窓用シャッターケースにおいて隣接するブラケット同士の間隙に吹上防止体を設けることになるが、該吹上防止体は、後端部側がブラケットの後面板を係止するため躯体に固定される係止金具側に固定されるため強度アップが図れ、しかも前端部に設けた当接部が、ブラケット、化粧縁、シャッターケースと積層構造になった部位がビス固定されることになって強固な補強がなされることとなり、吹上防止機能がこれら部材を有効に利用して達成できることになる。
請求項２の発明とすることにより、吹上防止部材が、冂字形になって強度アップが図れ、ブラケットに当接する脚部に当接部である折曲部が形成されたものとなって構造の簡略化が図れることになる。
請求項３の発明とすることにより、吹上防止機構が、積層される四種類の部材を用いたものでありながら、五枚の板材を積層した部位での固定により構成されることになる結果、より強度のある吹上防止機能を発揮することができる。
請求項４の発明とすることにより、吹上防止機構が、躯体側に固定される連窓用ガイドレールと一体化する連結部材を含むことになる結果、より強度の高いものにすることができる。
【図面の簡単な説明】
【０００７】
【図１】連窓用シャッター装置の正面図である。
【図２】連窓用シャッター装置の側面図である。
【図３】連窓用シャッター装置の化粧縁部位の縦断面図である。
【図４】左右水切り板の連結部位を示すものであって、（Ａ）は平面図、（Ｂ）は中柱および中柱連結板を取り外した状態の平面図、（Ｃ）は中柱連結板の側面図である。
【図５】（Ａ）は化粧縁の側面図、（Ｂ）は化粧縁の背面図、（Ｃ）は化粧縁の底面図、（Ｄ）は（Ｂ）のＤ−Ｄ断面図、（Ｅ）は（Ｂ）のＥ−Ｅ断面図である。
【図６】（Ａ）は係止金具部位の正面図、（Ｂ）は係止金具部位の側面図、（Ｃ）は係止金具部位の平面図である。
【図７】係止金具部位の平面図である。
【図８】連窓用中柱部位の要部正面図である。
【図９】吹上防止体部位の拡大側面図である。
【発明を実施するための形態】
【０００８】
以下、本発明の実施の形態について、図面に基づいて説明する。図面において、１は建築用のシャッター装置であって、該シャッター装置１は、左右に連装する窓（図示せず）のそれぞれに設けられるものであって、シャッターケース３、該シャッターケース３のブラケット４、５（以降、連窓側のブラケットの引出符号を４、５とし、サイドカバー１８側のブラケットの引出符号を１９と便宜上する。）間に正逆回動自在に設けられる巻取りドラム６、該巻取りドラム６に巻装されるシャッターカーテン７、窓の左右両側部に設けられるガイドレール８等の各種の部材装置により構成されていることは何れも従来通りである。尚、シャッター装置１は手動、電動の何れでシャッターカーテン７の開閉をするものあっても勿論よい。また、本実施の形態では、「前」を室外側、「後」を「室内側」と定義して説明するが、これに限定されるものではない。
【０００９】
９は本発明が実施された化粧縁であって、該化粧縁９は、左右のシャッターケース３の互いに対向する連窓側のブラケット４、５間の間隙Ｓを覆蓋するためのものであって、左右シャッターケース３の天板面部３ａ、前板面部３ｂ、底板面部３ｃの互いに対向する各端面部位を外側からオーバーラップする状態で組み付けられるよう天面部９ａ、前面部９ｂ、底面部９ｃが備えられ、これによって前記連窓側のブラケット４、５間の間隙Ｓを覆蓋するようになっている。
尚、化粧縁９の形状は、シャッターケース３の形状に対応して形成されるものであり、本実施の形態において、天面部９ａについては前側ほど低くなる緩傾斜状態となり、その後端に上方に向けて折曲された取付け面部９ｄが設けられている。また前面部９ｂついては、上端面９ｅは上側ほど後方に位置するよう傾斜面となり、中間面９ｆは垂直面となり、中間面９ｆの下端から後方に後退した段差面９ｇを備え、下端面９ｈは段差面９ｇの後端から下方を向いた略垂直面となっている。さらに底面部９ｃは水平面となっている。
【００１０】
前記各面部のうち、取付け面部９ｄ、前面部上端面９ｅ、前面部段差面９ｇ、前面部下端面９ｈ、および底面部９ｃは、左右両端縁部９ｓが折返し折曲された折曲片９ｉ、９ｊ、９ｋ、９ｌ、９ｍを備えた二枚板構造（積層構造）になっている。
一方、天面部９ａ、前面部中間面９ｆについても同様の折曲片９ｎ、９ｏが形成されるが、さらにこの折曲片９ｎ、９ｏの先端から内側に向けて立上げた立上り片９ｐ、９ｑが形成されていて天面部９ａ、前面部中間面９ｆを補強するように構成されている。しかも立上り片９ｐ、９ｑは、後述するように左右に隣接するシャッターケース３のブラケット４、５が当接することになって化粧縁９の位置決めができるよう設定されている。
そして化粧縁９は、上端部が取付け面部９ｄに形成のビス孔９ｔを貫通するビス９ｕにより躯体Ｋに固定されている。また底面部９ｃには、後述するビス１３ｅが挿入するためのビス孔９ｖが形成されている。
尚、前面部段差面９ｇ、前面部下端面９ｈおよび底面部９ｃの折曲片９ｋ、９ｌ、９ｍを除いた折曲片９ｉ、９ｊ、９ｎ、９ｏには水密材１０が貼着されており、これによってシャッターケース３の雨仕舞いが良いものとなっている。
【００１１】
１１は互いに対向している連窓側のブラケット４、５を係止するための係止金具であって、該係止金具１１は平板状をし、躯体Ｋにビス１１ａを介して固定され、前方に向けて突出状に形成の係止フック１１ｂにブラケット４、５の後面板４ａ、５ａに形成の切欠き孔４ｂ、５ｂを挿入係止することでシャッターケース３を保持するようになっている。
【００１２】
前記係止金具１１には、下端部に逆Ｌ字形をした支持金具１２の後端がリベット（ブラインドリベット）１２ａにより固定した後、さらに溶接により一体に固定されているが、該支持金具１２の上端縁、前端縁はＬ字形に折曲された折曲片１２ｂ、１２ｃが形成されていて補強されているが、前端側折曲片１２ｃの前端面には吹上防止体１３がビス１３ａを介して一体に固定されている。この吹上防止体１３は、平面視で冂字形をし、その跨部１３ｂが前記ビス１３ａにより前端側折曲片１２ｃに固定されるものであるが、左右の脚部１３ｃは、シャッターケース３のブラケット４、５に左右方向外側面４ｄ、５ｄから当接するようになっており、これによって左右に対向するブラケット４、５の位置決めをするようになっている。
さらに脚部１３ｃの前下端部には左右方向サイドカバー１８側に向けて折曲部（本発明の「当接部」に相当する。）１３ｄが折曲形成されているが、該折曲部１３ｄは、ブラケット４、５の下端部においてシャッターケースの左右方向サイドカバー１８側に向けて折曲形成した支持片４ｃ、５ｃに下側から当接するようになっている。そして折曲部１３ｄについてシャッターケース３の底板面部３ｃが下側から当接し、さらに該底板面部３ｃに前記化粧縁底面部９ｃの折曲片９ｍが形成された部位が下側から当接し、これにより五枚板構造の積層部位となり、この積層部位を化粧縁底面部９ｃ側からビス１３ｅを螺入することで、下側から二枚板状の化粧縁底面部９ｃおよび９ｍ、シャッターケース底板面部３ｃ、吹上防止体折曲部１３ｄ、ブラケット支持片４ｃまたは５ｃの五枚板の積層部位が一体化されると共に、該一体化されたシャッターケース底板面部３ｃが吹上防止体折曲部１３ｄ、支持金具１２を介して前記躯体Ｋに固定された係止金具１１に一体に支持されることになって下側から底板面部３ｃに吹上げられた風に対する吹き上げ防止がなされるように構成されている。
尚、支持金具１２の係止金具１１への一体固定、並びに吹上防止体１３の支持金具１２への一体固定は、リベット固定、ボルト固定、ビス固定、溶着等、一般に知られた固定（取付け）手段を必要において採用することができる。
また、積層部位の固定はビス１３ｅを用いているが、ビス１３ｅに限定されず、リベット、ボルト等、一般に知られた固定（取付け）手段を必要において採用することができる。
【００１３】
一方、前記ガイドレール８のうち、左右に隣接する連窓用のガイドレール８は、あいだに中空状の連結部１４ａが設けられた中柱１４として構成されているが、該連結部１４ａには角筒状をした鋼製の補強材１５が嵌入組み込みされている。一方、前記支持金具１２の下方に垂下する前端片１２ｄの後端面に折曲形成した固定片１２ｅには側面視でＬ字形をした取付け金具１６の縦片１６ａが当接されリベット１６ｂを介して固着され、さらに溶接により固定されている。そして取付け金具１６を、支持金具前端片１２ｄと共に補強材１５の上端部から嵌入組込みすることで連結部１４ａの後側片、補強材１５の後側片（室内側片）１５ａ、取付け金具１６の縦片１６ａが積層状態に当接し、該当接部位を後ろ側（室内側）からビス１６ｃを螺入することでこれら積層部位が一体化されるようになっている。
そしてこのように支持金具１２は、先端部位に幅広である吹上防止体１３、中柱１４に固定するための取付け金具１６が共に固定されながら、ブラケット４、５の取付けに影響を与えない（ブラケット４、５を、支持金具１２を配設するため格別に切り欠き加工する必要がない）幅狭形状に設定されており、これによって互いに隣接する連窓側のブラケット４、５を、シャッターケース３のサイドカバー（端部化粧縁）１８側のブラケット１９と兼用化できるようになっている。
【００１４】
また、補強材１５の下端部も躯体Ｋ側に固定されるが、その固定構造は次のようになっている。１７は各シャッター装置１の水切り板であって、該水切り板１７の隣接端同士は、前記間隙Ｓ下方に配される水切り板連結板２０により一連状に連結されるが、水切り板１７、水切り板連結板２０には連通状に切欠き１７ａ、２０ａが設けられている。尚、水切り板１７は後端部において上方に立設する取付け板１７ｂをビス（図示せず）を介して躯体Ｋ側に固定されるようになっているが、水切り板１７の水切り板連結板２０がある部位は、取付け板１７ｃと水切り板連結板２０の後端部から上方に立設した取付板２０ｂとが共にビス１７ｃを介して躯体Ｋ側に固定されるようになっている。
また水切り板１７の下面には当て板２２が当てがわれ、後述する連結板２１のない部位においては、水切り板１７と水切り板連結板２０とはビス２０ｃを水切り板連結板２０側から当て板２２に螺入することにより固定され、また連結板２１のある部位においては、連結板２１、水切り板１７、水切り板連結板２０は、ビス２１ａを連結板２１側から当て板２２に螺入することにより固定されている。
一方、２１は補強材１５の下端部を水切り板１７及び水切り板連結板２０に一体的に連結するための連結板であって、該連結板２１は、前述したように水切り板連結板２０に上側から当接した状態でビス２１ａによって三者が一体的に固定され、さらに前端縁が上方に突設した連結片２１ｂが形成され、該連結片２１ｂが補強材１５の後端側板面１５ａの内面（前面）に当接するよう嵌入しビス２１ｃによって固定され、後端縁は下方に向けて折曲された係止片２１ｄが設けられ、該係止片２１ｄが前記切欠き１７ａ、２０ａに嵌入係止するようになっている。
【００１５】
叙述の如く構成された本実施の形態において、それぞれシャッターカーテン７が巻取りドラム６に巻装されるシャッターケース３の隣接するブラケット４、５同士が左右に間隙Ｓを存して配設され、この間隙Ｓに、シャッターケースに対して下側から吹上げる風が作用した場合にシャッターケースが持ち上がるのを防止するための吹上防止体１３を設けているが、該吹上防止体１３は、平面視で冂字形をした板状のものであって、その跨部１３ｂが、ブラケット４、５の後面板４ａ、５ａを係止するため躯体Ｋに固定される係止金具１１に後端部が固定される支持金具１２の前端部に固定された一体物となっており、これによつて吹上防止体１３は、支持金具１２、係止金具１１を介して躯体Ｋに支持される構成となっている。そして左右の脚部１３ｃがブラケット４、５の外側対向面にそれぞれ当接していてブラケット４、５の位置決めをすると共に、ブラケット４、５の補強をしている。
しかも脚部１３ｃの下端縁には、ブラケット４、５の下端縁からシャッターケース３の左右方向内方に向けて折曲した支持片４ｃ、５ｃに下側から当接する折曲部１３ｄが形成され、該折曲部１３ｄに、シャッターケース３の底板面部３ｃが下側から当接され、さらに該底板面部３ｃに、隣接ブラケット４、５同士の間隙Ｓを覆蓋する化粧縁９の底面部９ｃが下側から当接することで構成される四部材の積層部位を下からビス１３ｅで固定しているため、該部位が強固に補強されることになって確実な吹上防止機能を発揮することができる。
【００１６】
そしてこの四部材による積層構造部位において、化粧縁９は底面部９ｃと折曲片９ｍとが積層された二枚板構造となっている部位がビス１３ｅにより固定されるから、四部材の積層でありながら五枚板が積層されたものとなってより強度アップされたものとなり、優れた吹上防止構造とすることができる。
【００１７】
さらにこのものでは、連窓用の中柱１４において、左右のガイドレール８を連結する連結部１４ａには補強材１５が嵌入組込みされているが、該補強材１５には前記支持金具１２に固定された取付け金具１６がさらに嵌入組込みされていてこの連結部１４ａ、補強材１５、取付け金具１６が前後方向に積層されたものとなり、そしてこの積層部位を後側から螺入するビス１６ｃにより固定されている結果、吹上防止体１３が躯体Ｋ側に固定される中柱１４と一体化されることとなって、吹上防止機能をより高いものにしている。
尚、吹上防止体としては冂字形に形成されたものに限定されず、例えば一枚板状のものであってもよく、要は、室内側端部に、ブラケットの下端縁からシャッターケースの左右方向サイドケース１８側に向けて折曲して支持片４ｃ、５ｃに下側から当接する当接部が形成されたものであればよい。
【産業上の利用可能性】
【００１８】
本発明は、連窓用のシャッターケースにおける吹上防止構造としての利用可能性がある。
【符号の説明】
【００１９】
１  シャッター装置
３  シャッターケース
３ｃ  底板面部
４、５、１９  ブラケット
４ａ、５ａ  後面板
４ｃ、５ｃ  支持片
４ｄ、５ｄ  外側面
６  巻取りドラム
７  シャッターカーテン
８  ガイドレール
９  化粧縁
９ｃ  底面部
１１  係止金具
１２  支持金具
１３  吹上防止体
１３ｃ  脚部
１３ｄ  折曲部
１３ｅ  ビス
１４  中柱
１４ａ  連結部
１５  補強材
１６  取付け金具
１６ｃ  ビス
Ｋ  躯体
Ｓ  間隙
【図１】
0006497975.tif 000002
【図２】
0006497975.tif 000003
【図３】
0006497975.tif 000004
【図４】
0006497975.tif 000005
【図５】
0006497975.tif 000006
【図６】
0006497975.tif 000007
【図７】
0006497975.tif 000008
【図８】
0006497975.tif 000009
【図９】
0006497975.tif 000010